(57)【特許請求の範囲】
【請求項１】
平面型の画像表示用パネルと、前記画像表示用パネルを支持する筐体とを備える画像表示装置であって、
板状の記憶媒体への書込み或は読み取りを行う記録再生ユニットと、
前記記録再生ユニットに装着された前記記憶媒体を前記画像表示用パネルのパネル面と略平行な姿勢で前記筐体内に収納して支持し、かつ前記記録再生ユニットが前記筐体内に収納された状態から前記筐体の外部に突出するように、前記記録再生ユニットを移動させることを可能とする搬送構造と、
前記筐体に取り付けられた周辺機器を移動させる移動構造とを有しており、
前記移動構造は、前記記録再生ユニットを前記筐体内に収納された状態から前記筐体の外部に突出させる場合、前記周辺機器を、前記記録再生ユニットの突出を妨げる第１の取り付け位置から、突出した前記記録再生ユニットと干渉しない第２の取り付け位置に移動させることが可能なものであることを特徴とする画像表示装置。
【発明の詳細な説明】
【０００１】
【発明の属する技術分野】
本発明は、例えばＣＤ−ＲＯＭやＤＶＤ等の記憶媒体を装着して、その記憶媒体に記憶されている映像や音楽・音声等の情報の再生を行う記録再生ユニットや前記記憶媒体への情報の書き込みを行う記録再生ユニットを内蔵した画像表示装置に関するものである。
【０００２】
【従来の技術】
テレビやコンピュータの端末、広告媒体、標識などの用途として、電子放出素子を用いた表示装置、或はプラズマ放電を用いた表示装置、また液晶を用いた表示装置、更には、蛍光表示管を用いた表示装置などといった、薄型の平面型画像表示装置が用いられている。更に、近年注目されているのが、画面サイズが４０インチ以上の壁掛けテレビであり、それは薄型の画像表示装置の特徴を生かしたものである。この画像表示装置の基本構造は、画像表示部、電気回路部、それらを支持する構造部、外装部、更にスピーカ部等である。
【０００３】
近年、このような画像表示装置で視聴するための入力ソースは、アナログ信号からデジタル信号に変わりつつあり、それに伴って様々な映像信号の入出力装置も普及してきた。特に映像信号を記録再生できる機器としては、従来のビデオテープレコーダ等のようにテープを記録媒体にした装置から、デジタルビデオディスク（ＤＶＤ）等のようにディスクを記録媒体とする装置に変りつつある。
【０００４】
図１４は、従来の記録・再生部を内蔵した画像表示装置１００の外観図である。
【０００５】
図中、１００は画像表示装置の本体を示し、その内部に画像表示のためのＣＲＴモジュールや記録再生部、電気回路などを収納している。１０１はＣＲＴの表示画面を示し、１０２は本体１００から突出した記憶媒体を表わしている。この記憶媒体１０２は、例えば光ディスク媒体を利用したものであり、この光ディスク媒体の本体への出し入れ操作は、図示の通り、本体１００から記憶媒体１０２を突出させて行う。またこの記憶媒体に記憶された画像等の再生時には、この記憶媒体１０２を本体１００へ収納して動作させる。従来では、この記憶媒体１０２を表示画面１０１と同じ側の本体正面に配置して、ユーザの操作性を考慮している。また、最近はプラズマ放電を用いた表示装置が薄型の壁掛けテレビとして注目されている。
【０００６】
図１５は、薄型の壁掛けテレビに外付けの記録・再生装置１１４を接続した例を示す外観図である。
【０００７】
図中、１１０は薄型壁掛けテレビ、１１１は、例えばプラズマ放電を用いた画像表示部である。１１２は左スピーカ、１１３は右スピーカである。１１４は記録・再生装置で、１１５は光ディスク媒体を利用した記憶媒体である。１１６は記録・再生装置１１４の電源ケーブルであり、１１７は壁掛けテレビ１１０と記録・再生装置１１４とを接続する信号ケーブルである。
【０００８】
なお、特開平１１-１９０９７８号公報には、液晶表示モニタの裏側に磁気ディスク駆動装置と光学ディスク駆動装置を設け、ディスク取出し口を筐体の側面に設けた液晶表示モニタが開示されている。
【０００９】
また、特開平９-１７９６６０号公報には、画面表示部を有するユニット内にＣＤ−ＲＯＭ装置を格納するコンピュータが開示されている。
【００１０】
また特開平１０−２２２２４６号公報には、情報処理装置において、ディスプレイ装置を有する蓋体のディスプレイ装置の非配置側にディスク装置を配置する構成が開示されている。
【００１１】
また、特開平７−２４８８５０号公報には、平面ディスプレイを有する蓋部に、記憶媒体を着脱可能に保持する入出力装置を備える電子計算機が開示されている。
【００１２】
また、特開平１０−１４４０６５号公報には、蓋部にＬＣＤ、ＨＤＤ、ＦＤＤを含むラップトップコンピュータが開示されている。
【００１３】
また、特開平１０−１２５０５０号公報には、キーボードの下に記録媒体のドライブ装置を設け、該ドライブ装置を引き出したときに、記録媒体の挿抜スロット等の面する方向を変え、かつその保持姿勢を水平状態または垂直状態とすることができる保持機構を設けた構成の携帯用パーソナルコンピュータが開示されている。
【００１４】
【発明が解決しようとする課題】
図１４に示すように、記憶媒体１０２を本体１に挿入して記録・再生を行う画像表示装置では、画像表示装置１００と、この記憶媒体１０２からデータの読出し或は記憶を行う記録・再生装置とを接続するケーブル配線や、記録・再生装置への電源供給が不要となり、外観上もすっきりするし、ユーザの操作性も良い。しかしながら、このような構成では、以下のような改善すべき点があった。
（１）画面サイズが大形化するに従って、画像表示装置１００の奥行き寸法（図中、Ｄ１）が大きくなり狭い室内には設置が難しい。例えば画面１０１のサイズが３６型の場合には、その奥行きは約６０[ｃｍ]となる。これは画像表示部１０１に利用しているＣＲＴの構造による。
【００１５】
一方、図１５のような従来の薄型の壁掛けテレビと外部機器の記録再生装置を接続した場合、壁掛けテレビは省スペース（図中、Ｄ３寸法は約８０[ｍｍ]〜１００[ｍｍ]）であるが、記録・再生装置１１４を設置するためのスペースが必要となる。また、壁掛けテレビ１１０と記録・再生装置１１４とを接続するケーブル１１７が壁面に露出して見苦しい等の問題がある。
【００１６】
この問題は、薄型の壁掛けテレビ１１０に記録・再生装置１１４を内蔵すれば解決できるが、図１４のような奥行きのあるＣＲＴを利用した画像表示装置であれば、その装置１００全体の奥行き（Ｄ１）に記憶媒体１１５の奥行き（図中、Ｄ２）が充分納まるが、壁掛けテレビのような薄型の表示装置では、装置全体の奥行き寸法（Ｄ３）が記憶媒体１１５の奥行き（Ｄ２）よりも小さくなり、一体化が難しいという問題がある。また記憶媒体の奥行きに対して装置全体の奥行き寸法が大きい場合でも、記憶媒体への書き込みもしくは読み取りのための機構が必要なため一体化が難しいという問題がある
本発明は上記従来例に鑑みてなされたもので、壁掛けテレビなどの薄型画像表示装置の特徴を損なわずに記録再生ユニットを装置内に収納できるようにした画像表示装置提供することを目的とする。また更に、記憶媒体を画像表示装置に収納する構成を採用したときに、記憶媒体の取り扱いを容易にする構成や、周辺機器の設置の自由度を向上させる発明を実現することを具体的な目的の一つとする。
【００１７】
【課題を解決するための手段】
本願は以下の発明を含んでいる。
【００１８】
平面型の画像表示用パネルと、前記画像表示用パネルを支持する筐体とを備える画像表示装置であって、
板状の記憶媒体への書込み或は読み取りを行う記録再生ユニットと、
前記記録再生ユニットに装着された前記記憶媒体を前記画像表示用パネルのパネル面と略平行な姿勢で前記筐体内に収納して支持し、かつ前記記録再生ユニットが前記筐体内に収納された状態から前記筐体の外部に突出するように、前記記録再生ユニットを移動させることを可能とする搬送構造と、
前記筐体に取り付けられた周辺機器を移動させる移動構造とを有しており、
前記移動構造は、前記記録再生ユニットを前記筐体内に収納された状態から前記筐体の外部に突出させる場合、前記周辺機器を、前記記録再生ユニットの突出を妨げる第１の取り付け位置から、突出した前記記録再生ユニットと干渉しない第２の取り付け位置に移動させることが可能なものであることを特徴とする。
【００３６】
【発明の実施の形態】
以下、添付図面を参照して本発明の好適な実施の形態を詳細に説明する。
【００３７】
［実施の形態１］
図１は、本発明の実施の形態１に係る画像表示装置の外観図である。
【００３８】
図１において、１は本実施の形態に係る電子放出素子を用いた画像表示パネルを内蔵した画像表示装置、２は画像表示装置１の画像表示部、３は左スピーカユニット、４は右スピーカユニットである。５は画像表示部２へ再生画像信号を出力するところの記録再生ユニットを示している。本実施の形態では画像表示パネルとしては、表面伝導型放出素子を縦方向に４８０個、横方向に６４０×３個（赤、青、緑の各色に対応する素子３個からなる素子組を６４０組）行列状に配列した、表示面の対角が３０インチのパネルを用いた。以下ではこのパネルをＳＥＤとも称する。
【００３９】
図２は、本発明の実施の形態１に係る特徴を最もよく表わす要部縦断面図であり、画像表示装置１の内部に収納された画像表示部２及び記録再生ユニット５の配置を説明する図である。
【００４０】
ここで、本実施の形態に係る薄型の平面型画像表示装置の画像表示部２の製造方法、基本構造と動作原理について説明を加える。
【００４１】
この画像表示部２は、電子放出素子を用いている。ＳＥＤの動作原理は、背面側のリアプレート（ＲＰ）と表面側のフェースプレート（ＦＰ）との間を真空空隙で形成し、リアプレート（ＲＰ）上に各表示画素の位置に対応して電子放出素子を配置する。各電子放出素子は、各素子に対応する＋電極と−電極を数十［μｍ］の間隔で対向する形に形成し、次に真空空隙外の電気回路からの電気信号を＋電極に導くためのＸ方向配線を印刷法で形成した後、Ｙ方向配線とＸ方向配線とを電気的に絶縁するための層間絶縁層をＸ方向配線上のＹ方向配線とＸ方向配線の交差部に形成する。その後、真空空隙外の電気回路からの電気信号を−電極に導くためのＹ方向配線を印刷法で形成する。更に、各素子に対応する＋電極と−電極との間に微粒子からなる導電性薄膜を形成し、＋電極と−電極に電位を与えて電子放出部を導電性薄膜の一部に形成する（通電フォーミング）。
【００４２】
一方、フェースプレート（ＦＰ）側には、コントラストを向上するためのブラックストライプ膜、三原色ＲＧＢ各色相の蛍光体膜、更にその上に導電性のメタルバック膜が形成されており、各蛍光体は電子放出素子から放出される電子の衝突により発光してカラー画像を表示する。
【００４３】
この電子放出素子の動作は、電気回路で選択したＸ方向配線とＹ方向配線間に十数〔ｖ〕の電圧を印加して、対応する電子放出素子から電子を放出させる。この放出された電子は、フェースプレートの真空空隙側のメタルバック膜に外部高圧電源から供給された十数〔ｋｖ〕の＋電位により加速されて蛍光体膜に衝突して発光を起す。
【００４４】
リアプレートと外部の電気回路とはフレキシブルケーブルにより接続され、このケーブルと電気回路とはコネクタを介して電気的、機械的に接続されており、Ｘ方向配線とＹ方向配線の電極部（配線端部）と電気回路とが電気的に接続されている。またフェースプレートのメタルバック膜と高圧電源回路とは、高圧ケーブル、高圧用のコネクタを介して電気的、機械的に接続されている。
【００４５】
図２（Ａ）は、記録再生ユニット５が画像表示装置１の内部に完全に収納された状態（クローズ状態）を表わす図である。この状態では、記録再生ユニット５の厚み方向において、表示部２の表示面と記録再生ユニット５の前面（最も幅広の面）とが略平行となる状態で収容されている。記憶媒体の最も広い面も表示面と略平行になっている。図２（Ｂ）は、記録再生ユニット５の取り出しが指示されて、画像表示装置１から突出し始めた状態を表わす図である。図２（Ｃ）は、記録再生ユニット５が画像表示装置１から突出しきった状態（完全に突出した状態：オープン状態）を表わしている。
【００４６】
更に、図３は本発明の実施の形態１（後述の実施の形態に適用可）に係る画像表示装置１の構成を示すブロック図である。尚、これら図２、図３において、図１と共通する部分は同じ番号で示し、その説明を省略する。
【００４７】
図２において、符号６から１６が搬送構造を構成している。６はこの記録再生ユニット５を上下させるための上下駆動モータで、回転ねじシャフト９を回転駆動し、このシャフト９に係合するとともに記録再生ユニット５に固定されている雌ねじ部１２（シャフト９の表面に形成されたねじに噛合するねじを有している）を上下させている。この上下駆動モータ６は、画像表示装置１の内部に固定されており、その回転量に応じてエンコーダ信号を発生するための信号発生部を有しており、このエンコーダ信号は後述の制御回路５２と電気的に接続されている。これにより制御回路５２は、このモータ６の回転量を把握することができる。７はギアで、上下駆動モータ６の回転軸に固着されている。８は減速ギアで、画像表示装置１の内部に固定され、ギア７と噛合してモータ６の回転速度を減速してシャフト９に伝達している。回転ねじシャフト９は、上部軸受け１０と下部軸受け１１とに支持され、減速ギア８と噛合して回転する回転ねじシャフトである。上部軸受け１０と下部軸受け１１は共に潤滑用ベアリングを内蔵し、回転ねじシャフト９に嵌合してシャフト９を回転可能に支持している。雌ねじ部１２は、回転ねじシャフト９に噛合しており、後述する記録再生ユニット５の回動機構（モータ１３，ギア１４，１５，１６等）を有している。
【００４８】
図２（Ｃ）において、１３は回転駆動モータで、雌ねじ部１２に固着され、このモータ１３の回転軸の回転量を検知するためのエンコーダ信号発生部を有し、ここから出力されるエンコーダ信号は制御回路５２に供給されている。１４は回転駆動モータ１３の回転軸に固着されたギアであり、１５は雌ねじ部１２に固定され、ギア１４と噛合して回転速度を落とすための減速ギアである。１６は回動ギアで、記録再生ユニット５の側面部に固着され、その外周ギア部が減速ギア１５と噛合し、図２（Ｂ）や図２（Ｃ）に示すように、記録再生ユニット５を回動させることができる。
【００４９】
次に図３を参照して、本実施の形態１に係る画像表示装置１の機能構成を説明する。
【００５０】
図３において、５０はリモコンで、本実施の形態に係る画像表示装置１における様々な機能を動作させるための各種指示を与える遠隔制御装置である。このリモコン５０は、ユーザにより操作される複数の操作スイッチ（図示せず）と電気回路、赤外線発信部等を内蔵している。５１は画像表示装置１に内蔵された赤外線の受信部で、この受信部５１で受信したリモコン５０からの信号を電気信号に変換して増幅し、また信号コードの識別などを行っている。５２は制御回路で、画像表示装置１の電子回路の全てを制御するための制御信号を発生したり、各種制御を実行している。５３は信号入出力回路で、外部入力信号のインターフェース（図示せず）や記録再生ユニット５との間で音声や映像信号等のやりとりを行うとともに、デジタル信号の変換機能なども有している。５４は画像表示回路で、信号入出力回路５３からの映像信号を変調信号や走査信号に変換し、画像表示部２や制御回路５２へ出力している。５５は駆動回路で、制御回路５２の指示により、前述した記録再生ユニット５の収納／取り出し動作を行う上下駆動モータ６、及び回転駆動モータ１３の制御を行っており、各モータに設けられたエンコーダ信号発生部からのエンコーダ信号の処理と、各モータの動作電流の制御を行っている。
【００５１】
次に、本実施の形態に係る記録再生ユニット５の構造について説明する。
【００５２】
図１３は、本実施の形態に係る記録再生ユニット５の構成図で、図１３（Ａ）は平面図、図１３（Ｂ）は側面図を表わす。
【００５３】
図において、７０はディスクトレイで、中央部に開口部と円形の凹部を設け、後述の記憶媒体を搭載している。７１は記憶媒体であるディスクであり、近年はその記録方式によりＣＤ，ＣＤ−ＲＯＭ，ＤＶＤなど様々なディスクがあるが、その形状はいずれも円盤状で、直径１２０[ｍｍ]、厚さ２[ｍｍ]以下である。７２はディスク７１を回転するためのスピンドルモータ、７３はスピンドルモータ７２に回転軸を接続し、ディスク７１を搭載して回転するターンテーブルである。７４は記録再生ユニット５の重要な部分で、ディスク７１に記録された情報を光学的に読み取るための光ピックアップで、光源と対物レンズ及び受光部等を含み、光源からは６５０[ｎｍ]前後、または７８０[ｎｍ]前後のレーザ光が照射され、受光部によりディスク７１からの反射光を検出している。７５はアクチュエータで、光源と対物レンズ７４とが正確にディスク７１からの反射光を検出するためのフォーカシング調整と、トラッキング調整を行う。７６は光源と対物レンズ７４、アクチュエータ７５とを搭載するキャリッジで、後述の駆動機構によりディスク７１に対して面平行に可動する。７７はキャリッジ７６を可動する際のガイドとなるガイド機構であり、図には示さないが位置を微調整する機構がガイド機構７７の取付け部に構成されている。７８はキャリッジ７６を可動するためのピックアップ駆動機構で、送りモータと複数のギアで構成され、そのギアはキャリッジ７６のラックギア（図示せず）と噛み合っている。７９は記録再生ユニット５の本体で、スピンドルモータ７２、ガイド機構７７、ピックアップ駆動機構７８及び不図示の記録再生ユニット５の制御回路や信号処理回路等を収納し、画像表示装置１に対して突出／収納の動作を行う。
【００５４】
以上の構成において、ディスク７１を収納し、このディスク７１を駆動し、またディスク７１の記録情報を読み取るための構成を収容する本体７９の外形寸法は、幅約１２０[ｍｍ]から１４６[ｍｍ]で、その奥行き（Ｄ２）は１５０[ｍｍ]から２０３[ｍｍ]、厚さは２５[ｍｍ]から４０[ｍｍ]である。
【００５５】
そのため本実施の形態１では、画表示装置１に内蔵する記録再生ユニット５の配置を図２に示すように決定した。つまり、画表示装置１の厚さ（奥行き）８０[ｍｍ]〜１００[ｍｍ]以内に記録再生ユニット５を収めるために、記録再生ユニット５の厚さ２５[ｍｍ]から４０[ｍｍ]を、画像表示装置１の奥行き方向（Ｄ３）と一致させるようにした。
【００５６】
次に、以上の構成を有する本発明の実施の形態１に係る画像表示装置１における動作について説明する。
【００５７】
本実施の形態１に係る画像表示装置１では、通常の状態においては、記録再生ユニット５は図２（Ａ）に示すように、画像表示装置１の本体内に収納された状態にある。これは記録再生ユニット５を、埃の侵入や衝撃から保護するためである。また、画像表示装置１の内部の画像表示部２の背面側で、記録再生ユニット５を画像表示部２に対向するように配置している。これは上述のように、画像表示装置１の薄型表示装置の特徴を生かすためである。ここでユーザが記録再生ユニット５を利用して映像を視聴する場合は、次のような動作となる。
【００５８】
ユーザは画像表示装置１に付属しているリモコン５０から、記録再生ユニット５の突出指示（取り出し：オープン操作）を行う。この突出指示はリモコン５０内部でコード化され、そのコード化された電気信号が赤外線に変換されて画像表示装置１の受信部５１に伝送される。これにより、その受信部５１は、そのコード化された信号を受信して識別し、制御回路５２に記録再生ユニット５の突出指示を行う。制御回路５２はこの突出指示に応じて、予めプログラムされたプログラムを実行し、突出指示に対応する制御信号を駆動回路５５に供給する。これにより、駆動回路５５から上下駆動モータ６に駆動電流が送られて、上下駆動モータ６が回転駆動される。上下駆動モータ６が回転を始めると、その回転軸に固着しているギア７が回転し、このギア７と噛合している減速ギア８も回転し、この回転が減速ギア８に噛み合っている回転ねじシャフト９に伝達される。こうして回転ねじシャフト９が回転を始めると、この回転ねじシャフト９に噛み合う雌ねじ部１２が下降を始める。なぜならば、回転ねじシャフト９の外周に形成されたギアはある一定のリード角を有しているため、内部に同じリード角を有する雌ねじ部１２は近傍に回転止めガイド（不図示）を有するために、このシャフト９に対して上下移動することになる。
【００５９】
ここで制御回路５２は、常に上下駆動モータ６における回転量をエンコーダ信号に基づいて識別して、雌ねじ部１２の下降位置を認識している。これにより、記録再生ユニット５が図２（Ａ）の位置から下降を開始して、図２（Ｂ）に示すように、画像表示装置１の底面から突出を開始する位置に下降すると、次に記録再生ユニット５を傾けるために、回転駆動モータ１３にも駆動電流が送られる。この回転駆動モータ１３が回転を始めると、このモータ１３の回転軸に固着されているギア１４が回転し、このギア１４と噛み合っている減速ギア１５が回転しこの減速ギア１５に噛み合う回転ギア１６も回転を始める。この回転ギア１６は、記録再生ユニット５の側面部に固着されているために、回転ギア１６の回転動作はそのまま記録再生ユニット５の回動動作となる。なお、この回動動作を行う間も、雌ねじ部１２が下降を続けている。
【００６０】
この回転駆動モータ１３の回転量もまたエンコーダ信号に基づいて識別されているため、制御回路５２は、この記録再生ユニット５の回転位置も認識することができる。
【００６１】
図２（Ｃ）は、雌ねじ部１２が下降を完了し、記録再生ユニット５の回転動作も完了した状態（取り出し完了）を示す図である。
【００６２】
この後、ユーザは、ＤＶＤ等の記録媒体（図示せず）を記録再生ユニット５に装填し、先の画像表示装置１に付属のリモコン５０から、記録再生ユニット５の収納指示（クローズ操作）を行う。この収納指示は、リモコン５０内部でコード化された電気信号が生成され、この電気信号が赤外線に変換されて画像表示装置１の受信部５１に伝送される。受信部５１は、このコード化された赤外光を受信してそのコードを識別し、制御回路５２へ収納指示を行う。制御回路５２は予めプログラムされたプログラムコードに従って、この収納指示に対応する制御信号を駆動回路５５へ伝送する。これにより、駆動回路５５から上下駆動モータ６及び回転駆動モータ１３に駆動電流が送られる。この駆動電流は、先の突出指示の場合と極性が逆のため両モータ６，１３の回転方向も逆向きとなる。これにより記録再生ユニット５は左方向（反時計回り方向に）回動し、雌ねじ部１２は上昇を始める。
【００６３】
こうして記録再生ユニット５が上昇され、ほぼ図２（Ｂ）の状態になると回転駆動モータ１３の回転動作が停止し、更に図２（Ａ）の記録再生ユニット５の収納状態に戻ると上下駆動モータ６の回転が停止して収納動作が終了する。ユーザはこの後、記録再生指示と画像表示指示を画像表示装置１に付属のリモコン５０から指示することにより、その記録再生ユニット５から再生される映像及び音楽などを楽しむことができる。
【００６４】
図４及び図５は、本実施の形態１に係る画像表示装置１の制御回路５２による記録再生ユニット５の突出／収納処理を示すフローチャートで、この処理を実行するプログラムはメモリ５２ａに記憶されている。
【００６５】
まずステップＳ１で、リモコン５０からの赤外光により指示されたコマンドを解析し、ステップＳ２で、その指示コマンドがオープン（取り出し）か、クローズ（収納）指示のいずれかをみる。オープン指示の場合にはステップＳ３に進み、記録再生ユニット５が、図２（Ａ）のような収納位置に収納されているかどうかを判定する。この判定には、例えば不図示のセンサ等により行うことができる。そうでないときはステップＳ１０に進み、エラーとして何も処理しないか、或は一旦、ユニット５を収納位置に収容するように動作する。
【００６６】
ステップＳ３で収納位置にあるときはステップＳ４に進み、上下駆動モータ６を回転駆動して、雌ねじ部１２，即ち、記録再生ユニット５を下降させる。この時、上下駆動モータ６の回転軸に設けられたエンコーダ信号発生部からの信号に基づいて、上下駆動モータ６の回転量、即ち、記録再生ユニット５の下降量を検出し、ステップＳ５で、その下降量が所定量になるとステップＳ６に進み、回動モータ１３の回転を開始して、図２（Ｂ）のように、記録再生ユニット５を時計回り方向に回動するように駆動を開始する。
【００６７】
次にステップＳ７では、上下駆動モータ６を回転させながら、回動モータ１３をも回転駆動し、記録再生ユニット５の下降に応じて時計回り方向に回動させる。そしてステップＳ８で、記録再生ユニット５が最下部に到達し、時計回り方向への回動が終了すると、図１に示すように、記録再生ユニット５が、画像表示装置１の下部から突出した状態となり、ユーザにより、記録再生ユニット５の記憶媒体の交換、装着が可能になる。
【００６８】
次に前述のステップＳ２で、記録再生ユニット５の収納が指示されたときはステップＳ１１に進み、記録再生ユニット５が図１のように突出された状態、即ち、オープン位置にあるかどうかをみる。オープン位置にあるときはステップＳ１２に進むが、そうでないときはステップＳ１のエラー処理に進む。ステップＳ１２では、上下駆動モータ６を前述のステップＳ４の場合と逆方向に回転駆動して記録再生ユニット５の上昇を開始させるとともに、その上昇に合わせて回動モータ１３を、前述のステップＳ６とは逆の方向に回転駆動する。これにより、記録再生ユニット５が上昇しながら、反時計回り方向に回動しはじめる。こうしてステップＳ１３で、所定長、記録再生ユニット５が上昇するとステップＳ１４に進み、モータ１３により記録再生ユニット５を略垂直になるまで反時計回り方向に回動させる。その後ステップＳ１５に進み、上下駆動モータ６を更に回転させて記録再生ユニット５を上昇させ、ステップＳ１６でその収納位置に到達するとステップＳ１７に進んで、上下駆動モータ６の回転を停止させて、処理を終了する。
【００６９】
尚、本実施の形態１によれば、記録再生ユニット５を下降させる動作のみならず、それを回転させる動作も加えた。なぜならば、画像表示装置１は壁に掛けるという設置方法以外に、スタンド（図示せず）などを利用して台の上に設置する場合も考慮したからである。即ち、後者のように、台の上に設置した場合は画像表示装置１の底部と台上面との空間距離が僅かとなり、記録再生ユニット５の下部が台上面に衝突して機能できなくなるからである。従って、本実施の形態１におけるように、記録再生ユニット５を回転させることにより、この衝突を回避すると共に、ユーザが記録再生ユニット５に記録媒体（図示せず）を装填し易い角度を与えるものである。
【００７０】
また、本実施の形態１では、上下駆動モータ６の下降端、上昇端の制御及び回転駆動モータ１３の回転開始や停止のタイミングを全て各モータ６，１３からのエンコーダ信号の処理により行ったが、記録再生ユニット５の位置検出手段を備え、その制御動作のタイミングを決めるようにしても良い。
【００７１】
また、上下駆動モータ６を雌ねじ部１２に取付け、更にクラッチ機構を介して記録再生ユニット５の回動を制御することにより、上下駆動モータ６と回転駆動モータ１３を１つのモータで共通化できる。
【００７２】
また、画像表示部１にＰＤＰや液晶パネルを用いても、本実施の形態に係る特徴を生かすことができる。
【００７３】
また更に以下のような効果を有する。
（１）画像表示部１に電子放出素子を用いた画像表示パネル（ＳＥＤ）を用いることにより、薄型の画像表示装置が構成でき、壁に設置して省スペースが可能となった。
（２）画像表示装置１の画像表示部１の背面側の向かい合う位置に記録再生ユニット５を配置したため、薄型画像表示装置の特徴を維持しつつ記録再生ユニット５を設置するスペースを不要とした。
【００７４】
更に、画像表示装置１と記録再生装置５とを接続するケーブルが壁面に露出せず外観上も好ましい。
（３）記録再生ユニット５が画像表示装置１の内部に完全に収納されるため、記録再生ユニット５が、画像表示装置１の本体カバーにより埃の侵入や衝撃等から保護され、信頼性が向上する。
（４）記録再生ユニット５の突出／収納の動作機構に、電気回路の司令により動作するモータとギアを組み合わせた結果、オープン／クローズ操作は全て付属のリモコンで指示できるため操作性が良い。
（５）記録再生ユニット５の突出／収納の動作を、記録再生ユニット５の上下運動と回転運動の組み合わせにより実現したことにより、例えばスタンド等を利用して、台の上にも設置可能となった。更に記録媒体の装填作業性も向上した。
【００７５】
［実施の形態２］
図６は、本発明の実施の形態２に係る画像表示装置１の外観図であり、前述の実施の形態１と共通する部分は同じ番号で示し、その説明を省略する。
【００７６】
図において、２０は可動右スピーカで、画像表示装置１と向かい合う壁面に記録再生ユニット２２との接続構造を備え、摺動して画像表示装置１に対して右方向へ移動可能に取付けられている。２１はガイド棒で、可動右スピーカ２０が摺動して移動する際のガタつきを防止しており、その端部は可動右スピーカ２０の壁面に固着され、反対側の端部は画像表示装置１の内部に摺動可能に取付けられている。図には示さないが、画像表示装置１の内部のガイド棒２１と嵌合する潤滑性を有する部材が、この位置決めを行っている。記録再生ユニット２２は、画像表示部２へ再生画像信号、音声信号を出力する記録再生手段として機能している。
【００７７】
通常の使用時は、記録再生ユニット２２は、画像表示装置１の内部に収納されており、更に可動右スピーカ２０が画像表示装置１の右側面部に略密着しているため、外部からは見ることができない構造である。
【００７８】
図７は、本発明の実施の形態２に係る画像表示装置１の構成を示す要部横断面図で、画像表示装置１、可動右スピーカ２０及び記録再生ユニット２２の内部構造を表わしている。
【００７９】
図７（Ａ）は、可動右スピーカ２０及び記録再生ユニット２２の収納状態を表わした図で、図６と共通する部分は同じ記号で示している。
【００８０】
図７（Ｂ）は、可動右スピーカ２０及び記録再生ユニット２２が右方向に移動されて、その移動が完了した状態を表わしている。
【００８１】
ここで、符号２３から２９が周辺機器であるスピーカの移動構造を構成している。２３は移動用モータで、画像表示装置１の内部に固定されている。このモータ２３の回転軸にはエンコーダ信号発生構造が取付けられており、前述の実施の形態１と同様に、このエンコーダからのエンコード信号は制御回路に供給されている。２４はギアで、移動用モータ２３の回転軸に固着されている。２５は減速ギアで、画像表示装置１の内部に固定されギア２４と噛合して、その回転速度を低下させている。２６は回転ねじシャフトで、軸受け２８，２９により支持されて減速ギア２５と噛合して回転する。２７は記録再生ユニット２２に固定された雌ねじ部で、回転ねじシャフト２６と噛合して、回転ねじシャフト２６の回転により記録再生ユニット２２を左右方向に移動させている。左軸受け２８及び右軸受け２９は、ともに回転ねじシャフト２６の端部で嵌合し、その内部に潤滑用ベアリングを内蔵して、回転ねじシャフト２６を回転可能に支持している。３０は可動右スピーカ２０と記録再生ユニット２２とを固着して接続するための連動部材である。
【００８２】
尚、この図７では、前述の図６のガイド棒２１を省略して示している。また、本実施の形態に係る画像表示装置の構成は、前述の実施の形態１の図３と同様であるため、その説明を省略する。
【００８３】
次に以上の構成における動作について説明を付け加える。
【００８４】
本実施の形態２に係る画像表示装置１は、通常の状態では先の記録再生ユニット２２が図７（Ａ）に示すように収納された状態にある。これは、記録再生ユニット２２を、画像表示装置１でカバーすることにより、埃の侵入や衝撃から保護するためである。また画像表示装置１の画像表示部２の背面側には、記録再生ユニット２２が画像表示部２と対向する配置している。これは画像表示装置１の薄型の特徴を生かすためである。
【００８５】
ここでユーザが記録再生ユニット２２を利用して、映像を再生して視聴する場合は次のような動作となる。
【００８６】
ユーザは、画像表示装置１の付属のリモコン５０から、記録再生ユニット２２の突出指示（オープン操作）を行う。
【００８７】
これにより、駆動回路５５よりモータ２３に駆動電流が送られる。これによりモータ２３が回転を始めると、その回転軸に固着しているギア２４が回転し、このギア２４と噛合する減速ギア２５も回転する。更に、この減速ギア２５に噛み合っている回転ねじシャフト２６も回転を始める。この回転ねじシャフト２６が回転を始めると、この回転ねじシャフト２６に噛み合う雌ねじ部２７が右方向へ移動を始める。なぜならば、回転ねじシャフト２６の外周に形成されたギアはある一定のリード角を有しているため、内部に同じリード角を有する雌ねじ部２７は、図示しないが近傍に回転止めガイドを有するために、水平移動することになる。また、制御回路５２は、常にモータ２３からのエンコーダ信号を入力して識別処理しているため、雌ねじ部２７の位置或は移動量を認識している。
【００８８】
さて記録再生ユニット２２が、画像表示装置１の右側面から突出を開始すると、可動右スピーカ２０は連動部材３０を介して記録再生ユニット２２に接続されているため、記録再生ユニット２２の動きに合わせて右方向へ移動する。
【００８９】
こうして図７（Ｂ）の位置（突出完了の位置）にまで移動すると、予め制御回路５２にプログラムされた内容に従って駆動回路５５からモータ２３への駆動電流が停止される。
【００９０】
この後、ユーザは画像表示装置１の前面側から、記録媒体（図示せず）を記録再生ユニット２２に装填し、画像表示装置１の付属のリモコン５０から記録再生ユニット２２の収納指示（クローズ操作）を行う。これにより、制御回路５２により制御された駆動回路５５よりモータ２３に駆動電流が送られる。この駆動電流は、突出指示の場合と極性が逆のためモータ２３の回転方向も逆向きとなり、雌ねじ部２７は左方向へ移動を始める。そのため記録再生ユニット２２と可動右スピーカ２０も収納方向（即ち、左方向）に移動する。
【００９１】
こうして図７（Ａ）に示すような、記録再生ユニット２２の収納状態に戻り、モータ２３が停止して収納動作が終了する。ユーザはこの後、記録再生指示と画像表示指示を先の本画像表示装置１に付属のリモコン５０から行い、映像と音声を楽しむことができる。
【００９２】
図８は、実施の形態２に係る画像表示装置における記録再生ユニット２２の取り出し／収納処理を示すフローチャートで、この処理は前述した制御回路５２により実行される。また、この処理を実行するプログラムはメモリ５２ａに記憶されている。
【００９３】
まずステップＳ２１で、ユーザの操作によりリモコン５０からの信号を受信するとステップＳ２２に進み、記録再生ユニット２２の突出／収納指示（オープン／クローズ）かどうかを判断し、オープン指示の場合にはステップＳ２３に進み、記録再生ユニット２２が収納位置にあるかどうかを判定する。収納位置にあるときはステップＳ２４に進み、駆動回路５５を介してモータ２３に駆動電流を供給してモータ２３の回転駆動を開始する。これにより、そのモータ２３の回転軸に固着しているギア２４が回転し、このギア２４の回転が回転ねじシャフト２６に伝達されて回転を始めると、この回転ねじシャフト２６に噛み合う雌ねじ部２７が図７の右方向へ移動を始める。ステップＳ２５では、制御回路５２はモータ２３のエンコーダ信号を入力して雌ねじ部２７の位置或は移動量を認識し、記録再生ユニット２２が図７（Ｂ）の位置（突出完了の位置）にまで移動したかどうかを判定し、完了するとステップＳ２６に進んで、駆動回路５５からモータ２３への駆動電流を停止してモータ２３の駆動を停止する。
【００９４】
またステップＳ２２で、クローズ処理の場合はステップＳ２８に進み、記録再生ユニット２２が図７（Ｂ）の突出完了位置にあるかどうかを判定し、あるときはステップＳ２９に進み、駆動回路５５によりモータ２３に対して、突出指示の場合と極性が逆である駆動電流を供給する。これによりモータ２３の回転方向が逆向きとなり、雌ねじ部２７は図７（Ｂ）の状態から左方向へ移動を始め、記録再生ユニット２２と可動右スピーカ２０も収納方向に移動する。こうしてステップＳ３０に進み、エンコーダ信号に基づいて、図７（Ａ）に示すような、記録再生ユニット２２の収納状態に戻ったかどうかを判定し、戻ったと判定されるとステップＳ２６に進み、モータ２３への駆動電流の供給を停止して、収納動作を終了する。尚、ステップＳ２３及びＳ２８で、記録再生ユニット２２が収納位置或は突出完了位置にない時はステップＳ２７に進み、エラー処理を実行して処理を終了する。
【００９５】
以上説明したように本実施の形態２によれば、記録再生ユニット２２を画像表示装置１の側面部から突出させる構造とした。これは画像表示装置１は壁に掛けるという設置方法以外に、様々な状況を考慮したからである。またスタンド（図示せず）等を利用して台の上に設置する場合は、画像表示装置１の底部と台上面との空間距離が僅かとなり、記録再生ユニット２２を底部から突出させるには、その構造が複雑になる可能性がある。また壁の高い所に画像表示装置１を設置した場合、記録再生ユニット２２を天部から突出させると、ユーザが記録再生ユニット２２に記録媒体（図示せず）を装填することが困難になる。
【００９６】
以上より本実施の形態においては、画像表示装置１の右側面から突出する構造とした。もちろん、この構造を左右反転して配置すれば左側面から突出することも可能である。
【００９７】
以上説明したように、本実施の形態２に係る特徴は以下の通りである。
（１）画像表示部２に電子放出素子を用いた画像表示パネルを用いることにより薄型の画像表示装置が構成でき、壁に設置して省スペースが可能となった。
（２）画像表示装置１の画像表示部の背面側の向かい合う位置に記録再生ユニットを配置したため、薄型画像表示装置の特徴を維持しつつ記録再生ユニットを設置するスペースを不要とした。
【００９８】
更に、画像表示装置１と記録再生ユニットとを接続するケーブルが表に露出せず外観上も好ましい。
（３）記録再生ユニットが画像表示装置１の内部に完全収納されるため、この記録再生ユニットは、画像表示装置にカバーされて、埃の侵入や衝撃から保護され信頼性が向上した。
（４）記録再生ユニットの突出／収納の動作機構に電気回路の司令により動作するモータとギアを組み合わせた結果、オープン／クローズ操作は、全て付属のリモコンで行えるため操作性が良い。
（５）記録再生ユニットの突出／収納の動作を画像表示装置１の右側面（或は左側面も可能）としたことで、スタンドを利用した台上の設置、高い所の壁掛け設置いずれの場合においても、記録媒体の装填作業性が向上した。
（６）更に、記録再生ユニットの突出動作により障害となる部分を除くようにスピーカのサイズを小さくする必要がないので、再生される音質を劣化させることもない。
【００９９】
［実施の形態３］
図９は、本発明の実施の形態３に係る画像表示装置１の外観図で、前述の実施の形態１及び２と共通する箇所は同じ番号を付して、その説明を省略する。
【０１００】
図において、４０は画像表示装置１と向かい合う壁面部に後述の上下方向の駆動機構とガイド部を備え、画像表示装置１に対して上方向へ移動可能な可動右スピーカである。４１は記録再生ユニットで、画像表示装置１に再生画像信号、音声信号を出力する。
【０１０１】
通常の使用時は、この記録再生ユニット４１は、画像表示装置１内部に収納され、更に可動右スピーカ４０が画像表示装置１の右側面部に略密着しているため、外部からは見る事ができない構造である。
【０１０２】
図１０（Ａ），（Ｂ）は、本発明の実施の形態３に係る画像表示装置１の要部正面透視図であり、画像表示部２、可動右スピーカ４０および記録再生ユニット４１の配置と動きを表わしている。
【０１０３】
図１０（Ａ）は、画像表示装置１の内部に収納された記録再生ユニット４１の状態を表わした図で、図１０（Ｂ）は、可動右スピーカ４０と記録再生ユニット４１とが突出完了した状態を表わしている。尚、図９と前述の実施の形態１及び２と共通する部分は同一番号で示し、本実施の形態３においても、前述の実施の形態１と同様の電気ブロック図を利用して説明する。
【０１０４】
図１０において、４２ａは位置センサを示し、記録再生ユニット４１が収納完了状態であるか否かを検知するのに使用される。４２ｂも同じく位置センサで、記録再生ユニット４１が突出完了状態であるか否かを検知するための位置センサである。４３ａは、可動右スピーカ４０が上昇完了状態であるか否かを検知するための位置センサである。また４３ｂは、可動右スピーカ４０が下降完了状態であるか否かを検知するための位置センサである。これらセンサ４２ａ，４２ｂ、４３ａ，４３ｂは共に、画像表示装置１の内部に固着され、電気的には制御回路５２と接続されている。
【０１０５】
ここで、４４から４９がスピーカ移動のための構造を構成しており、特に４４が画像表示装置筐体側に設けられる移動構造を構成する。４４はラックギアで、画像表示装置１の内部に固着され連続的にギアが形成されている。４５はガイド部で、可動右スピーカ４０の画像表示装置１側の壁面に固着され、画像表示装置１の側面部に形成されたレール（図示せず）に嵌合している。４６はモータで、可動右スピーカ４０に固定されており、前述の実施の形態１と同様に、駆動回路５５と電気的に接続されている。４７はモータ４６の回転軸に固着されたギアである。４８は減速ギアで、可動右スピーカ４０に固定され、ギア４７と噛合して、その回転速度を低下させている。尚、減速ギア４８は画像表示装置１の内部に配置されたラックギア４４と噛合するように構成されている。４９はラック押えで、可動右スピーカ４０に固着され、画像表示装置１の内部でラックギア４４を抱き込むように配置されており、可動右スピーカ４０の上下運動に連動して上下に動きながら、減速ギア４７の噛合がラックギア４４から脱落するのを防止している。
【０１０６】
次に以上の構成における動作を説明する。
【０１０７】
本実施の形態３に係る画像表示装置１は、通常の状態では記録再生ユニット４１が画像表示装置１の本体に収納された状態にある。これは記録再生ユニット４１を画像表示装置１によりカバーして、埃の侵入や衝撃から保護するためである。また、画像表示装置１の画像表示部２の背面側に記録再生ユニット４１を画像表示部２と対向するように配置したのは、この画像表示装置１の薄型の特徴を生かすためである。
【０１０８】
ここでユーザが記録再生ユニット４１を利用して映像を見る場合は、次のような動作となる。画像表示装置１に付属のリモコン５０から、記録再生ユニット４１突出指示（オープン操作）を与える。これにより制御回路５２の指示に基づいて駆動回路５５よりモータ４６に駆動電流が送られる。これによりモータ４６が回転を始めると、その回転軸に固着されているギア４７が回転し、このギア４７と噛み合う減速ギア４８も回転する。ここで減速ギア４８は画像表示装置１のラックギア４４と噛合しているため、減速ギア４８が回転を始めると可動右スピーカ４０は上方向へ移動を始める。尚、ラック押え４９が位置センサ４３ｂから離れると位置センサ４３ｂの出力は電気的にオン状態からオフ状態に切り替わる。
こうして可動右スピーカ４０が上昇端まで移動すると、位置センサ４３ａにラック押え４９が略密着する。これにより位置センサ４３ａの出力は、電気的にオフ状態からオン状態に変化する。
【０１０９】
制御回路５２は、この位置センサ４３ａからの信号に基づいてオン状態を確認するとモータ４６への通電を停止して、可動右スピーカ４０の移動を停止すると共に、記録再生ユニット４１の突出動作のための駆動を行う。この搬送駆動を行うための駆動構造は、前述の実施の形態２と同様にして実現できるので、その詳細な説明及び図面を省略する。
【０１１０】
これにより記録再生ユニット４１が位置センサ４２ａから離れると、位置センサ４２ａの出力はオン状態からオフ状態に切り替わる。こうして画像表示装置１から記録再生ユニット４１が突出するように移動を開始し、図１０（Ｂ）に示すように、突出完了の位置に移動すると位置センサ４２ｂの出力は電気的にオフ状態からオン状態に切り替わる。制御回路５２は、この位置センサ４２ｂからの信号を検知し、記録再生ユニット４１の移動用のモータ（実施の形態２におけるモータ２３）への通電を停止して、記録再生ユニット４１の移動を停止する。
【０１１１】
以上の操作により、記録再生ユニット４１の記録媒体（図示せず）が装填、或は交換可能な状態となる。
【０１１２】
この後、ユーザは、画像表示装置１の前面側から、記録媒体（図示せず）を記録再生ユニット４１に装填し、画像表示装置１の付属のリモコン５０から記録再生ユニット４１の収納指示（クローズ操作）を行う。これにより制御回路５２の制御により、記録再生ユニット４１の移動用のモータ２３に駆動電流が供給される。この駆動電流は、突出指示の場合と極性が逆のためモータの回転方向も逆向きとなり、記録再生ユニット４１は、左方向（収納方向）へ移動を始める。この時、位置センサ４２ｂの出力は電気的にオン状態からオフ状態に切り替わる。
【０１１３】
こうして記録再生ユニット４１が図１０（Ａ）の収納状態に戻ると、位置センサ４２ａの出力が電気的にオフ状態からオン状態に切り替わり、位置センサ４２ａと電気的に接続されている制御回路５２は、オン状態を確認した後、記録再生ユニット４１の移動用のモータ２３への通電を停止して記録再生ユニット４１の収納動作を終了させる。これと共に、今度は可動右スピーカ４０の移動用モータ４６に駆動電流が送られる。この駆動電流は先の上昇指示の場合と極性が逆のためモータ４６の回転方向も逆向きとなり、可動右スピーカ４０は下方向へ移動を始める。
【０１１４】
尚、ラック押え４９が位置センサ４３ａから離れると、この位置センサ４３ａの出力は電気的にオン状態からオフ状態に切り替わる。こうして可動右スピーカ４０が図１０（Ａ）の下降端まで移動すると、位置センサ４３ｂにラック押え４９が略密着する。これにより位置センサ４３ｂの出力は、オフ状態からオン状態に移行する。この位置センサ４３ｂと電気的に接続されている制御回路５２は、オン状態を確認した後、モータ４６への通電を停止して可動右スピーカ４０の移動を停止する。
【０１１５】
ユーザはこの後、記録再生指示と画像表示指示を画像表示装置１の付属のリモコン５０から行い、映像と音声を楽しむことができる。
【０１１６】
尚、この実施の形態３に係る制御回路５２の処理を示すフローチャートは、前述の実施の形態２に係る処理を示すフローチャートにおいて、エンコーダ信号を基に記録再生ユニットの位置を検知する代わりに、位置センサ４２ａ，４２ｂ，４３ａ，４３ｂからの信号により判定するだけで、基本的に同様の処理を実行することにより、記録再生ユニット４１及びスピーカ４０の移動制御を実現できるため、ここではその処理を示すフローチャートを省略する。
【０１１７】
以上説明したように本実施の形態３によれば、記録再生ユニット４１を画像表示装置１の側面部から突出させる構造とした。なぜならば、画像表示装置１は壁に掛けるという設置方法以外に、様々な状況を考慮したからである。例えば、スタンド（図示せず）等を利用して台の上に設置する場合は、画像表示装置１の底部と台上面との空間距離が僅かとなる。このような場合に、記録再生ユニット４１を底部から突出させるにはその構造が複雑になる可能性がある。
【０１１８】
また、壁の高い所に画像表示装置１を設置した場合、記録再生ユニット４１を天部から突出させると、ユーザが記録再生ユニット４１に記録媒体（図示せず）を装填することが困難になる。
【０１１９】
以上の理由により、本実施の形態３においては、画像表示装置１の右側面から記録再生ユニット４１が突出する構造とした。もちろん、この構造を左右反転して配置すれば、左側面から記録再生ユニット４１を突出させることも可能である。
【０１２０】
また、本実施の形態では、記録再生ユニット４１を突出するために可動右スピーカ４０も移動する構造とした。前述の実施の形態２では、可動右スピーカ２０を水平方向に展開したのに対し、本実施の形態３では、可動右スピーカ４０を上方向に移動した。これは、ユーザが一般家庭で画像表示装置を設置する場合、部屋の構造上、上下方向よりも左右方向に制約されることが多いと考えたからである。
【０１２１】
また、前述の実施の形態２では、記録再生ユニット２２の収納位置や突出位置の確認を、モータ内蔵のエンコーダ信号を利用して行っていたが、本実施の形態３では、記録再生ユニット４１および可動右スピーカ４０の収納位置と突出位置に合計４個の位置センサを配置して制御回路５２によりモータへの通電と停止を制御した。これは、記録再生ユニット４１と可動右スピーカ４０が衝突するのを防止するためである。
【０１２２】
以上説明したように本実施の形態３に係る特徴は以下の通りである。
（１）画像表示部２に電子放出素子を用いた画像表示パネルを用いることにより、薄型の画像表示装置が構成でき、壁に設置して省スペースが可能となった。
（２）画像表示装置１の画像表示部２の背面側の対向する位置に記録再生ユニット４１を配置したため、薄型画像表示装置の特徴を維持しつつ記録再生ユニットを設置するスペースを不要とした。更に、画像表示装置１と記録再生ユニットとの接続ケーブルが壁面に露出せず外観上も好ましい。
（３）記録再生ユニットが、画像表示装置１の内部に完全収納されるため、記録再生ユニット４１は、画像表示装置１にカバーされて埃の侵入や衝撃から保護され、信頼性が向上した。
（４）記録再生ユニット４１の突出／収納の動作機構に電気回路の司令により動作するモータとギアを組み合わせたので、オープン／クローズ操作はすべて付属のリモコンで行えるため操作性が良い。
（５）記録再生ユニット４１の突出／収納の動作を画像表示装置の右側面（左側面も可能）としたことで、スタンドを利用した台上の設置、高い所の壁掛け設置いずれの場合も記録媒体の装填作業性が向上した。
（６）更に、記録再生ユニット４１の突出の際、可動スピーカの回避移動方向を上方向にして、ユーザの画像表示装置設置の自由度を向上した。
（７）更に、記録再生ユニット４１の突出動作により障害となるスピーカの大きさを固定式と同じサイズにしたことにより、音質を劣化させることもない。
【０１２３】
［実施の形態４］
図１１は、本発明の実施の形態４に係る画像表示装置６０の外観図である。また図１２（Ａ）は、記録再生ユニットの収納時の要部縦断面図、図１２（Ｂ）は、記録再生ユニットの突出時の要部縦断面図を表わし、前述の実施の形態１〜３と同一番号は同一部材を示している。
【０１２４】
図１１において、画像表示装置６０は、画像表示部２を内蔵し、画像表示部２の右側に記録再生ユニット６１を内蔵している。また、この画像表示部２の左右には左スピーカ３および右スピーカ４を備えている。記録再生ユニット６１は、この画像表示装置６０に再生画像信号、音声信号を供給するためのもので、通常の使用時には、この記録再生ユニット６１は、画像表示装置６０の内部に収納されており、外部からは見る事ができない構造である。
【０１２５】
図１２（Ａ）（Ｂ）において、６１ａはカバーで、記録再生ユニット６１が画像表示装置６０の内部に収納された際、画像表示装置６０の外観を成すカバーと一体的な外観を成す。６３は上ストッパで、画像表示装置６０の内部に固着され、記録再生ユニット６１の収納状態における位置決めを行っている。ここで、符号６４〜６７が搬送構造を構成する。６４はモータで、画像表示装置６０の内部に固定されており、前述の実施の形態１と同様に、駆動回路５５と電気的に接続されている。６５はギアで、モータ６４の回転軸に固着されている。６６は減速ギアで、画像表示装置６０の内部に固定されてギア６５と噛合して回転速度を落とすのに使用されている。６７は回転ギアで、記録再生ユニット６１の端部付近の側面部に固定されて、減速ギア６６と噛合している。６８は下ストッパで、画像表示装置６０の内部に固定され、記録再生ユニット６１が突出した状態（図１１、図１２（Ｂ）参照）の位置を決める。また、本実施の形態４に係る電気回路は、前述の実施の形態１の図３と同様であるので、同じ説明は省略する。
【０１２６】
次に以上の構成における動作について説明を付け加える。
【０１２７】
本実施の形態４に係る画像表示装置６０は、通常の状態では記録再生ユニット６１が収納された状態（図１２（Ａ））にある。これは記録再生ユニット６１の精密機構部（図示せず）や画像表示部２を、画像表示装置６０のカバーと記録再生ユニット６１のカバー６１ａにより埃の侵入や衝撃から保護するためである。また、記録再生ユニット６１を画像表示部２の右側に、かつ画像表示面と並ぶように配置にしたのは、画像表示装置６０の薄型の特徴を生かすためである。
【０１２８】
ここでユーザが記録再生ユニット６１を利用して映像を見る場合は次のような動作となる。
【０１２９】
画像表示装置６０の付属のリモコン５０から、記録再生ユニット６１の突出指示（オープン操作）を行う。これにより制御回路５２により制御される駆動回路５５からモータ６４に駆動電流が送られる。こうしてモータ６４が回転を始めると、その回転軸に固着しているギア６５が回転し、このギア６５と噛み合う減速ギア６６も回転する。更に減速ギア６６に噛合する回転ギア６７も回転を始める。このように回転ギア６７が回転を始めると、この回転ギア６７の回転軸を側面部に固定している記録再生ユニット６１も回転運動することになる。
【０１３０】
こうして記録再生ユニット６１が画像表示装置６０の右側正面から突出を開始する。その移動速度は、減速ギア６６の降下によりゆっくりした速度である。図１２（Ｂ）の位置（突出完了の位置）に記録再生ユニット６１が移動すると、下ストッパ６８に記録再生ユニット６１のカバー６１ａが当接し、記録再生ユニット６１の回転運動が制限される。この時、モータ６４の回転が制限されるためモータ６４に流れる駆動電流の電流値が増大する。制御回路５２の電流検知システムと、予め制御回路５２にプログラムされた内容に従て駆動回路５５を制御し、モータ６４への駆動電流を停止し、記録再生ユニット６１の突出動作が完了する。
【０１３１】
この後ユーザは、画像表示装置６０の前面側から記録媒体を記録再生ユニット６１に装填し、画像表示装置６０に付属のリモコン５０から、記録再生ユニット６１の収納指示（クローズ操作）を行う。これにより、駆動回路５５よりモータ６４に駆動電流が送られる。この駆動電流は突出指示の場合と極性が逆のためモータ６４の回転方向も逆向きとなり、記録再生ユニット６１は収納方向（図中右回転）へ移動する。
【０１３２】
図１２（Ａ）の記録再生ユニット６１の収納状態に戻ると、この記録再生ユニット６１の上端部が上ストッパ６３と当接し、記録再生ユニット６１の回転運動が制限される。こうして前述の突出時と同じ手段により制御回路５２がモータ６４への駆動電流を停止するとモータ６４が停止し、収納動作が終了する。
【０１３３】
ユーザはこの後、記録再生指示と画像表示指示を画像表示装置６０の付属リモコン５０から行い、映像と音声を楽しむことができる
以上説明したように本実施の形態４によれば、記録再生ユニット６１を画像表示面と並べる位置に配置し、画像表示装置６０の正面部から突出させる構造とした。これは薄型の画像表示部２の厚み方向と薄型の記録再生ユニット６１の厚み方向を揃えて、画像表示装置６０の厚みを最小限に抑えるためである。もちろん画像表示装置６０を壁に掛けてもスタンドを利用して台の上に設置しても、ユーザが記録再生ユニット６１に記録媒体６２を装填することが困難になることもない。またこのような構造によれば、画像表示部２に対して記録再生ユニット６１を左右反転して配置しても同様の効果が得られる。
【０１３４】
以上説明したように、本実施の形態４に係る特徴は以下の通りである。
（１）画像表示部に電子放出素子を用いた画像表示パネルを用いることにより薄型の画像表示装置が構成でき、壁に設置して省スペースが可能となった。
（２）内蔵する記録再生ユニット６１を画像表示部２の近傍に、画像表示部２の厚みと記録再生ユニット６１の厚みを揃える配置としたため、薄型の画像表示装置の特徴を維持しつつ、記録再生ユニット６１を設置するスペースを不要とした。
【０１３５】
更に、画像表示装置６０と記録再生ユニット６１との接続ケーブルが壁面に露出せず外観上も好ましい。
（３）記録再生ユニット６１の収納時は、記録再生ユニット６１のカバーと画像表示装置６０のカバーとにより一体的に画像表示装置がカバーされるため、記録再生ユニット６１と画像表示部２は埃の侵入や衝撃から保護され信頼性が向上する。
（４）記録再生ユニット６１の突出／収納の動作機構に電気回路の司令により動作するモータとギアを組み合わせた結果、オープン／クローズ操作はすべて付属のリモコンで行えるため操作性が良い。
（５）記録再生ユニット６１の突出／収納の動作を、画像表示装置６０の正面で行うことができるので、スタンドを利用した台上の設置、高い所の壁掛け設置のいずれの場合も記録媒体の装填作業性が向上した。
【０１３６】
尚、上記説明した各実施の形態に係る各構成は、それぞれ単独或は適宜組合わせて実施されても良い。
【０１３７】
また、以上の各実施の形態においては、記録再生ユニットごと記憶媒体を突出させる構成としたが、記録再生ユニットの光ピックアップなどは筐体内に常に位置するようにし、例えばディスクトレイ７０のような保持構造のみを突出させる構成や、ディスクのみを突出させる構成としてもよい。
【０１３８】
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【０１３９】
また本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施の形態の機能が実現される場合も含まれる。
【０１４０】
更に記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【０１４１】
【発明の効果】
以上説明したように本発明によれば、壁掛けテレビなどの薄型画像表示装置の特徴を損なわずに、記録再生ユニットを装置内に収納して使用することができる。
【０１４２】
また本発明によれば、省スペースで記録再生ユニットを装置内に収納して使用することができ、また記録再生ユニットが画像表示装置の筐体に収納されるため埃の侵入や衝撃から保護されるという効果がある。更に、筐体に取り付けられた周辺機器が記録再生ユニットの突出動作の障害にならないという効果がある。
【図面の簡単な説明】
【図１】本発明の実施の形態１に係る画像表示装置の外観図である。
【図２】本発明の実施の形態１に係る画像表示装置の要部縦断面図である。
【図３】本発明の実施の形態１に係る画像表示装置の構成を示すブロック図である。
【図４】本発明の実施の形態１に係る画像表示装置の制御回路による制御処理を示すフローチャートである。
【図５】本発明の実施の形態１に係る画像表示装置の制御回路による制御処理を示すフローチャートである。
【図６】本発明の実施の形態２に係る画像表示装置の外観図である。
【図７】本発明の実施の形態２に係る画像表示装置の要部横断面図である。
【図８】本発明の実施の形態２に係る画像表示装置の制御回路による制御処理を示すフローチャートである。
【図９】本発明の実施の形態３に係る画像表示装置の外観図である。
【図１０】本発明の実施の形態３に係る画像表示装置の要部正面透視図である。
【図１１】本発明の実施の形態４に係る画像表示装置の外観図である。
【図１２】本発明の実施の形態４に係る画像表示装置の要部縦断面図である。
【図１３】本発明の実施の形態に係る記録再生ユニットの構成図である。
【図１４】従来例を表わす画像表示装置の外観図である。
【図１５】従来例を表わす画像表示装置の外観図である。
【図１】
0004564685.tif 000002
【図２】
0004564685.tif 000003
【図３】
0004564685.tif 000004
【図４】
0004564685.tif 000005
【図５】
0004564685.tif 000006
【図６】
0004564685.tif 000007
【図７】
0004564685.tif 000008
【図８】
0004564685.tif 000009
【図９】
0004564685.tif 000010
【図１０】
0004564685.tif 000011
【図１１】
0004564685.tif 000012
【図１２】
0004564685.tif 000013
【図１３】
0004564685.tif 000014
【図１４】
0004564685.tif 000015
【図１５】
0004564685.tif 000016